(57)【特許請求の範囲】
【請求項１】
環状に配置されて長さ方向に延びる複数のたて糸（２）と、当該たて糸（２）と交差して周方向に延びるよこ糸（３）とを筒状に織成した筒状織布（４）よりなり、前記よこ糸（３）が、剛直な線状体よりなる第一のよこ糸（３ａ）と、伸縮性を有する柔軟な天然又は合成繊維の糸条よりなる第二のよこ糸（３ｂ）とを、一本ずつ交互に配してなり、これらのよこ糸（３）と前記たて糸（２）とを平織組織により織成してなることを特徴とする、吸気ダクト管
【請求項２】
前記伸縮性を有する糸条が、合成繊維の捲縮加工糸であることを特徴とする、請求項１に記載の吸気ダクト管
【請求項３】
前記たて糸（２）のうち、第一のよこ糸（３ａ）の内側と第二のよこ糸（３ｂ）の外側とを通る第二のたて糸（２ｂ）が、第一のよこ糸（３ａ）の外側と第二のよこ糸（３ｂ）の内側とを通る第一のたて糸（２ａ）より、長く織り込まれていることを特徴とする、請求項１又は２に記載の吸気ダクト管
【請求項４】
前記たて糸（２）のうち、前記第二のたて糸（２ｂ）が前記第一のたて糸（２ａ）より短く織り込まれていることを特徴とする、請求項１又は２に記載の吸気ダクト管
【発明の詳細な説明】
【０００１】
【発明の属する技術分野】
本発明は、吸気ダクト管に関するものであって、特に自動車などにおける内燃機関において、外気を吸入してエアクリーナーに導くための吸気ダクト管に関するものである。
【０００２】
【従来の技術】
自動車などの内燃機関の吸気ダクト管は、当該内燃機関の吸気系を構成する管であるが、その管内を空気が通ることにより摩擦音を生じ、その音のうち管と共鳴する部分が増幅されて騒音を発する。そのため当該吸気ダクト管は、吸気に伴う騒音を低減することが求められている。
【０００３】
従来、自動車などの内燃機関の吸気ダクト管としては、特開昭６０−５３６５８号公報に示されるような筒状の繊維層の外面に硬質材を設けた構造のものや、特開平５−１２６００２号公報に示されるような多孔質材の円筒からなるもの、特開平４−３２１８９６号公報や特開２０００−６４９１８号公報に示されるような筒状織布よりなるものなどが知られている。
【０００４】
【発明が解決しようとする課題】
しかしながらこれらの吸気ダクト管は、それぞれ吸気騒音を低減させる効果は見られるものの、いずれも十分なものとは言えなかった。特に硬質材料よりなるものは、その内部で生じた騒音が壁面で反射されて増幅されやすく、それが開口部で集中的に放出される。
【０００５】
また吸気ダクト管は、主としてエアークリーナーと吸気口部材との間を繋ぐものであるが、自動車などの狭いエンジンルームの中で、複雑な経路を辿って設置されるものであり、高度の柔軟性を有し且つ屈曲したときに座屈しにくいものであることが好ましい。
【０００６】
前記筒状織布よりなるダクト管はそれ自体柔軟ではあり、且つ繊維が音のエネルギーを吸収するために騒音を低減させる効果があるが、保形性のない筒状織布のみよりなるものでは筒状の形態を維持することが困難であり、またこれを補強材で筒状の形態を維持した場合には、柔軟性が乏しくなって小さい曲率半径で曲げることが困難となると共に、繊維による吸音効果が損なわれる。
【０００７】
本発明はかかる事情に鑑みなされたものであって、高度に柔軟であって屈曲により座屈することがなく、またそれ自体が内部で生じた吸気騒音を吸収して外部に放出することのない、極めて静かな吸気ダクト管を提供することを目的とするものである。
【０００８】
【課題を解決するための手段】
而して本発明は、環状に配置されて長さ方向に延びる複数のたて糸と、当該たて糸と交差して周方向に延びるよこ糸とを筒状に織成した筒状織布よりなり、前記よこ糸が、剛直な線状体よりなる第一のよこ糸と、伸縮性を有する柔軟な天然又は合成繊維の糸条よりなる第二のよこ糸とを、一本ずつ交互に配してなり、これらのよこ糸と前記たて糸とを平織組織により織成してなることを特徴とするものである。
【０００９】
本発明においては、前記第二のよこ糸として、合成繊維の捲縮加工糸を使用することが好ましい。
また本発明においては、前記たて糸のうち、第一のよこ糸の外側と第二のよこ糸の内側とを通る第一のたて糸が、第一のよこ糸の内側と第二のよこ糸の外側とを通る第二のたて糸より、長く織り込まれているものとすることができる。また逆に、前記第一のたて糸が第二のたて糸より短く織り込まれているものとすることもできる。
【００１２】
【発明の実施の形態】
以下本発明の実施の形態を図面に従って説明する。図１は本発明の吸気ダクト管１を示すものであって、この吸気ダクト管１は、環状に配置されて長さ方向に延びる複数のたて糸２と、当該たて糸と交差して周方向に延びるよこ糸３とを筒状に織成した筒状織布４よりなっている。
【００１３】
而して本発明においては、図２に示すように、前記よこ糸３として、剛直な線状体よりなる第一のよこ糸３ａと、柔軟な天然又は合成繊維の糸条よりなる第二のよこ糸３ｂとが、交互に配置されている。
【００１４】
前記第一のよこ糸３ａを構成する剛直な線状体としては、ナイロン又はポリエステルなどのプラスチックのブリッスルや、ピアノ線などの金属線などを使用することができる。
【００１５】
また前記第二のよこ糸３ｂとしては、綿糸や麻糸などの天然繊維の糸条や、ナイロン、ポリエステル、ポリオレフィン、ポリビニルアルコールなどの合成繊維の、紡績糸又はマルチフィラメント糸を使用することができる。
【００１６】
またこの第二のよこ糸３ｂは、通常の紡績糸又はマルチフィラメント糸を使用することも可能であるが、伸縮性を有する糸条を使用するのが好ましく、特に合成繊維の捲縮加工糸を使用するのが好ましい。
【００１７】
たて糸２とよこ糸３とを織成して筒状織布４を構成する際の織組織は、前記第一のよこ糸３ａと第二のよこ糸３ｂとを一本ずつ交互に配し、これらのよこ糸３と前記たて糸２とを、平織組織により織成するのが好ましい。
【００１８】
【作用】
本発明においては、よこ糸３として剛直な線状体よりなる第一のよこ糸３ａが使用されているので、当該第一のよこ糸３ａによって断面形状が円形に保持され、筒状の形態が維持される。
【００１９】
そして第一のよこ糸３ａの間に柔軟な糸条よりなる第二のよこ糸３ｂが配置されているので、第一のよこ糸３ａ間の間隔に融通性が生じ、円形断面を保持したままで高度の屈曲性を有し、小さい曲率半径で容易に曲げることができ、屈曲により座屈することがない。
【００２０】
さらに本発明の構造が筒状織布４のみよりなるものであり、その内面には主としてたて糸２及び第二のよこ糸３ｂが露出しているので、これらの糸条を構成する繊維が音を乱反射し、音のエネルギーを吸収する。
【００２１】
さらに本発明においては、第二のよこ糸３ｂが伸縮性を有する糸条よりなっているので、図３に示すように第一のよこ糸３ａの間の位置で第二のよこ糸３ｂが収縮して径を縮小し、激しい凹凸を生じる。
【００２２】
このとき、たて糸２のうち、第一のよこ糸３ａの外側及び第二のよこ糸３ｂの内側を通る第一のたて糸２ａは、第一のよこ糸３ａの剛性によって径を維持しようとする力と、第二のよこ糸３ｂが収縮しようとする力とによって激しく屈曲せしめられ、それに伴って筒状織布４は長さ方向に収縮せしめられる。
【００２３】
一方、第一のよこ糸３ａの内側及び第二のよこ糸３ｂの外側を通る第二のたて糸２ｂは、前記筒状織布４の長さ方向の収縮により弛みが生じるが、この弛みを取り除く力が作用することはない。
【００２４】
このとき前記第一のよこ糸３ａを構成するブリッスルや金属線は表面が滑らかであって滑りやすく、それに比して第二のよこ糸３ｂを構成する捲縮加工糸は多数の繊維が絡まっていて摩擦抵抗が大きい。
【００２５】
そのため、前述のようにして弛んだ第二のたて糸２ｂは、第二のよこ糸３ｂに接触したままその収縮に伴って内方に引き込まれると共に、第二のよこ糸３ｂに接した位置の間の部分は、図３に示すように第一のよこ糸３ａから離れて屈曲によりさらに内方に突出する。
【００２６】
従って筒状織布４の内面には、第一のよこ糸３ａの位置に沿って、第二のたて糸２ｂがうね状に内方に突出して多数のループ５を形成し、筒状織布４の内面に激しい凹凸を形成して筒状織布４内で音を乱反射させると共に、当該ループ５はほとんど拘束されることなくフワフワの弛んだ状態で突出するため、音のエネルギーを有効に吸収する。
【００２７】
【発明の効果】
従って本発明によれば、断面形状が円形に保持されると共に、極めて柔軟であって屈曲性に富み、円形断面を保持したままで小さい曲率半径で自由に屈曲することが可能であり、屈曲により座屈することがない。
【００２８】
また本発明の吸気ダクト管１は筒状織布４のみよりなり、その内面に露出した繊維が音を乱反射してエネルギーを吸収するので、吸気に伴う騒音が発生することがなく、極めて静かである。
【００２９】
さらに本発明においては、筒状織布４の内面に多数のループ５が突出しており、しかもそのループ５が弛んだ状態で突出しているので、筒状織布４内の音のエネルギーの吸収の効率が高く、吸気に伴う騒音の発生をさらに低減させることができる。
【００３０】
【実施例】
図４は本発明の他の実施例を示すものであって、筒状織布４を構成するたて糸２のうち、前記第二のたて糸２ｂが第一のたて糸２ａよりも長く織り込まれており、筒状織布４の内面により大きなループ５が突出している。そのため音のエネルギーの吸収効率がより高くなり、さらに静粛度が向上する。
【００３１】
また図５は本発明のさらに他の実施例を示すものであって、前記第二のたて糸２ｂが第一のたて糸２ａよりも短く織り込まれている。このようにすることにより、筒状織布４の内面は比較的平滑となり、静粛度はやゝ低下するものの、通気抵抗が低下する。
【００３２】
第一のたて糸２ａと第二のたて糸２ｂとの織り込み長さを変える手段としては、筒状織布４の織成時に第一のたて糸２ａと第二のたて糸２ｂとの張力を異らしめることによることができる。第二のたて糸２ｂの張力を第一のたて糸２ａより小さくすることにより、図４のように第二のたて糸２ｂを第一のたて糸２ａより長く織り込むことができ、また第二のたて糸２ｂの張力を第一のたて糸２ａより大きくすることにより、図５に示すように第二のたて糸２ｂを短く織り込むことができる。
【図面の簡単な説明】
【図１】  本発明の吸気ダクト管の斜視図
【図２】  本発明の吸気ダクト管における筒状織布を引き伸ばした状態の一部の拡大縦断面図
【図３】  図２の筒状織布の使用状態の一部の拡大縦断面図
【図４】  本発明の他の実施例における筒状織布の一部の拡大縦断面図
【図５】  さらに他の実施例における筒状織布の一部の拡大縦断面図
【符号の説明】
１  吸気ダクト管
２  たて糸
２ａ  第一のたて糸
２ｂ  第二のたて糸
３  よこ糸
３ａ  第一のよこ糸
３ｂ  第二のよこ糸
４  筒状織布
【図１】
0004015417.tif 000002
【図２】
0004015417.tif 000003
【図３】
0004015417.tif 000004
【図４】
0004015417.tif 000005
【図５】
0004015417.tif 000006